(57)【要約】      （修正有）【課題】コンタクトセンターシステムにおける実績をベンチマーキングするための技法を提供する。【解決手段】コンタクトセンターシステムにおける実績をベンチマーキングするための技法は、コンタクトセンター動作を実施するように構成される少なくとも１つのコンピュータプロセッサによって、第１のコンタクト−エージェントペアリング方略と第２のコンタクト−エージェントペアリング方略との間を繰り返すステップと、第１のコンタクト−エージェントペアリング方略におけるエージェント利用バイアスを判定するステップと、第１のコンタクト−エージェントペアリング方略と比較した第２のコンタクト−エージェントペアリング方略の相対的実績を判定するステップとを含む。【選択図】図８
2020025279.tif 000002
【特許請求の範囲】
【請求項１】
コンタクトセンターシステムにおいてコンタクトとエージェントとをペアリングするための方法であって、前記方法は、
前記コンタクトセンターシステムに通信可能に結合され、かつ、前記コンタクトセンターシステムにおいて動作するように構成される少なくとも１つのコンピュータプロセッサが、第２のコンタクト−エージェントペアリング方略による第１のコンタクト−エージェントペアリング方略の実績抑制の第１の量を判定することと、
前記少なくとも１つのコンピュータプロセッサが、前記実績抑制の第１の量の少なくとも一部を補償するために、前記第１のコンタクト−エージェントペアリング方略の標的エージェント利用を調節することと、
前記少なくとも１つのコンピュータプロセッサが、前記調節された標的エージェント利用に従って、前記第１のコンタクト−エージェントペアリング方略を使用して、前記コンタクトセンターシステムにおいて少なくとも１つのコンタクトを少なくとも１人のエージェントにペアリングすることと
を含み、
前記実績抑制の第１の量の少なくとも一部を補償することは、前記コンタクトセンターシステムの実績を最適化する、方法。
【請求項２】
前記少なくとも１つのコンピュータプロセッサが、前記実績抑制の第１の量に基づいて、前記第２のコンタクト−エージェントペアリング方略と比較した、前記第１のコンタクト−エージェントペアリング方略を使用する前記コンタクトセンターシステムの相対的実績の表現を生成することをさらに含む、請求項１に記載の方法。
【請求項３】
前記実績抑制の第１の量は、前記第２のコンタクト−エージェントペアリング方略におけるエージェント利用バイアスの第１の量に起因する、請求項１に記載の方法。
【請求項４】
前記実績抑制の第１の量を判定することは、前記少なくとも１つのコンピュータプロセッサが、前記第２のコンタクト−エージェントペアリング方略から前記第１のコンタクト−エージェントペアリング方略への少なくとも１回の遷移中、複数のエージェントの平均利用可能エージェント実績を判定することを含む、請求項１に記載の方法。
【請求項５】
前記第１のコンタクト−エージェントペアリング方略は、挙動ペアリング方略であり、前記標的エージェント利用を調節することは、前記第１のコンタクト−エージェントペアリング方略を実績ベースルーティング方略に向かってバイアスする、請求項１に記載の方法。
【請求項６】
前記第２のコンタクト−エージェントペアリング方略は、実績ベースルーティング方略である、請求項１に記載の方法。
【請求項７】
前記標的エージェント利用を調節することは、前記少なくとも１つのコンピュータプロセッサが、ハイブリッド挙動ペアリング方略に関するＫａｐｐａパラメータを調節することをさらに含む、請求項１に記載の方法。
【請求項８】
コンタクトセンターシステムにおいてコンタクトとエージェントとをペアリングするためのシステムであって、
前記システムは、前記コンタクトセンターシステムに通信可能に結合されかつ前記コンタクトセンターシステムにおいて動作するように構成される少なくとも１つのコンピュータプロセッサを備え、
前記少なくとも１つのコンピュータプロセッサは、
第２のコンタクト−エージェントペアリング方略による第１のコンタクト−エージェントペアリング方略の実績抑制の第１の量を判定することと、
前記実績抑制の第１の量の少なくとも一部を補償するために、前記第１のコンタクト−エージェントペアリング方略の標的エージェント利用を調節することと、
前記調節された標的エージェント利用に従って、前記第１のコンタクト−エージェントペアリング方略を使用して、前記コンタクトセンターシステムにおいて少なくとも１つのコンタクトを少なくとも１人のエージェントにペアリングすることと
を行うようにさらに構成され、
前記実績抑制の第１の量の少なくとも一部を補償することは、前記コンタクトセンターシステムの実績を最適化する、システム。
【請求項９】
前記少なくとも１つのコンピュータプロセッサは、
前記実績抑制の第１の量に基づいて、前記第２のコンタクト−エージェントペアリング方略と比較した、前記第１のコンタクト−エージェントペアリング方略を使用する前記コンタクトセンターシステムの相対的実績の表現を生成すること
を行うようにさらに構成される、請求項８に記載のシステム。
【請求項１０】
前記実績抑制の第１の量は、前記第２のコンタクト−エージェントペアリング方略におけるエージェント利用バイアスの第１の量に起因する、請求項８に記載のシステム。
【請求項１１】
前記実績抑制の第１の量を判定することは、前記第２のコンタクト−エージェントペアリング方略から前記第１のコンタクト−エージェントペアリング方略への少なくとも１回の遷移中、複数のエージェントの平均利用可能エージェント実績を判定することを含む、請求項８に記載のシステム。
【請求項１２】
前記第１のコンタクト−エージェントペアリング方略は、挙動ペアリング方略であり、前記標的エージェント利用を調節することは、前記第１のコンタクト−エージェントペアリング方略を実績ベースルーティング方略に向かってバイアスする、請求項８に記載のシステム。
【請求項１３】
前記第２のコンタクト−エージェントペアリング方略は、実績ベースルーティング方略である、請求項８に記載のシステム。
【請求項１４】
前記標的エージェント利用を調節することは、ハイブリッド挙動ペアリング方略に関するＫａｐｐａパラメータを調節することを含む、請求項８に記載のシステム。
【請求項１５】
コンタクトセンターシステムにおいてコンタクトとエージェントとをペアリングするための製造品であって、前記製造品は、
非一過性コンピュータプロセッサ可読媒体と、
前記媒体上に記憶される命令と
を備え、
前記命令は、前記コンタクトセンターシステムに通信可能に結合されかつ前記コンタクトセンターシステムにおいて動作するように構成される少なくとも１つのコンピュータプロセッサによって、前記媒体から可読であるように構成され、それによって、前記少なくとも１つのコンピュータプロセッサに、
第２のコンタクト−エージェントペアリング方略による第１のコンタクト−エージェントペアリング方略の実績抑制の第１の量を判定することと、
前記実績抑制の第１の量の少なくとも一部を補償するために、前記第１のコンタクト−エージェントペアリング方略の標的エージェント利用を調節することと、
前記調節された標的エージェント利用に従って、前記第１のコンタクト−エージェントペアリング方略を使用して、前記コンタクトセンターシステムにおいて少なくとも１つのコンタクトを少なくとも１人のエージェントにペアリングすることと
を行わせるように動作させ、
前記実績抑制の第１の量の少なくとも一部を補償することは、前記コンタクトセンターシステムの実績を最適化する、製造品。
【請求項１６】
前記少なくとも１つのコンピュータプロセッサは、
前記実績抑制の第１の量に基づいて、前記第２のコンタクト−エージェントペアリング方略と比較した、前記第１のコンタクト−エージェントペアリング方略を使用する前記コンタクトセンターシステムの相対的実績の表現を生成すること
を行うようにさらに動作させられる、請求項１５に記載の製造品。
【請求項１７】
前記実績抑制の第１の量は、前記第２のコンタクト−エージェントペアリング方略におけるエージェント利用バイアスの第１の量に起因する、請求項１５に記載の製造品。
【請求項１８】
前記実績抑制の第１の量を判定することは、前記第２のコンタクト−エージェントペアリング方略から前記第１のコンタクト−エージェントペアリング方略への少なくとも１回の遷移中、複数のエージェントの平均利用可能エージェント実績を判定することを含む、請求項１５に記載の製造品。
【請求項１９】
前記第１のコンタクト−エージェントペアリング方略は、挙動ペアリング方略であり、前記標的エージェント利用を調節することは、前記第１のコンタクト−エージェントペアリング方略を実績ベースルーティング方略に向かってバイアスする、請求項１５に記載の製造品。
【請求項２０】
前記第２のコンタクト−エージェントペアリング方略は、実績ベースルーティング方略である、請求項１５に記載の製造品。
【請求項２１】
前記標的エージェント利用を調節することは、ハイブリッド挙動ペアリング方略に関するＫａｐｐａパラメータを調節することを含む、請求項１５に記載の製造品。
【発明の詳細な説明】
【技術分野】
【０００１】
（関連出願の相互参照）
本国際特許出願は、２０１６年６月８日に出願された米国特許出願第１５／１７６，８９９号に対する優先権を主張するものであり、該出願は、本明細書中に完全に開示されているのと同然にその全体が参照により本明細書中に援用される。
【０００２】
（開示の分野）
本開示は、概して、コンタクトセンターに関し、より具体的には、コンタクトセンターシステムにおける実績をベンチマーキングするための技法に関する。
【背景技術】
【０００３】
典型的なコンタクトセンターは、コンタクトセンターに着信するコンタクトを、それらのコンタクトを処理するために利用可能なエージェントにアルゴリズム的に割り当てる。ある時は、コンタクトセンターは、利用可能であってインバウンドまたはアウトバウンドコンタクト（例えば、通話、インターネットチャットセッション、電子メール）への割当を待機するエージェントを有し得る。またある時は、コンタクトセンターは、エージェントが割当のために利用可能になるまで１つまたはそれを上回る待ち行列にコンタクトを待機させ得る。
【０００４】
いくつかの典型的なコンタクトセンターでは、コンタクトは、それらのエージェントが利用可能になったときの時間に基づいて順序付けられたエージェントに割り当てられ、エージェントは、着信時間に基づいて順序付けられたコンタクトに割り当てられる。本方略は、「先入れ先出し」、「ＦＩＦＯ」、または「ラウンドロビン」方略と称され得る。
【０００５】
いくつかのコンタクトセンターは、利用可能なエージェントまたは時としてコンタクトの待ち行列の順序付けに「実績ベースルーティング」または「ＰＢＲ」アプローチを使用し得る。ＰＲＢ順序付け方略は、各コンタクト−エージェント対話の予期される成果を最大限にすることを試みるが、典型的には、コンタクトセンターにおけるエージェントを均一に利用することを考慮せずに行われる。
【０００６】
コンタクトセンターが、１つのタイプのペアリング方略（例えば、ＦＩＦＯ）を使用することから別のタイプのペアリング方略（例えば、ＰＢＲ）に変更すると、いくつかのエージェントは、コンタクトを受信するために利用可能であり得る一方、他のエージェントは、呼出中であり得る。経時的な平均エージェント実績が不均衡である場合、１つのタイプのペアリング方略の全体的実績は、他のタイプのペアリング方略によって不公平に影響を受け得る。
【０００７】
前述に照らして、代替ペアリング方略間の不均衡な平均エージェント実績を検出および考慮するために、代替ルーティング方略の遷移管理を含む、コンタクトセンターシステム実績のベンチマーキングを可能にするシステムの必要性があり得ることを理解されたい。
【発明の概要】
【課題を解決するための手段】
【０００８】
コンタクトセンターシステムにおける実績をベンチマーキングするための技法が、開示される。一特定の実施形態では、本技法は、コンタクトセンター動作を実施するように構成される少なくとも１つのコンピュータプロセッサによって、コンタクトセンターシステムにおいてコンタクトをエージェントとペアリングするために、第１のコンタクト−エージェントペアリング方略と第２のコンタクト−エージェントペアリング方略との間を繰り返すステップと、少なくとも１つのコンピュータプロセッサによって、第１のコンタクト−エージェントペアリング方略の第１のエージェント利用と均衡したエージェント利用との間の差分を備える、第１のコンタクト−エージェントペアリング方略におけるエージェント利用バイアスを判定するステップと、少なくとも１つのコンピュータプロセッサによって、第１のコンタクト−エージェントペアリング方略におけるエージェント利用バイアスに基づいて、第１のコンタクト−エージェントペアリング方略と比較した第２のコンタクト−エージェントペアリング方略の相対的実績を判定するステップとを含む、コンタクトセンターシステム実績をベンチマーキングするための方法として実現され得る。
【０００９】
本特定の実施形態の他の側面によると、本方法はさらに、少なくとも１つのコンピュータプロセッサによって、第１のコンタクト−エージェントペアリング方略におけるエージェント利用バイアスを低減させるために、第２のコンタクト−エージェントペアリング方略の標的エージェント利用を調節するステップを含み得る。
【００１０】
本特定の実施形態の他の側面によると、本方法はさらに、少なくとも１つのコンピュータプロセッサによって、第１のコンタクト−エージェントペアリング方略から第２のコンタクト−エージェントペアリング方略への少なくとも１回の遷移中、複数のエージェントの平均利用可能エージェント実績を判定するステップを含み得る。
【００１１】
本特定の実施形態の他の側面によると、本方法はさらに、少なくとも１つのコンピュータプロセッサによって、第１のコンタクト−エージェントペアリング方略から第２のコンタクト−エージェントペアリング方略への少なくとも１回の遷移中、複数のエージェントのうちの少なくとも１人の平均可用性を判定するステップを含み得る。
【００１２】
本特定の実施形態の他の側面によると、本方法はさらに、少なくとも１つのコンピュータプロセッサによって、第１のコンタクト−エージェントペアリング方略のエージェント利用バイアスを備える遷移管理報告を出力するステップを含み得る。
【００１３】
本特定の実施形態の他の側面によると、第１のコンタクト−エージェントペアリング方略は、実績ベースルーティング方略であり得る。
【００１４】
本特定の実施形態の他の側面によると、第２のコンタクト−エージェントペアリング方略は、挙動ペアリング方略であり得る。
【００１５】
本特定の実施形態の他の側面によると、第２のコンタクト−エージェントペアリング方略は、ハイブリッド挙動ペアリング方略であり得、ハイブリッド挙動ペアリング方略は、実績ベースルーティング方略に向かってバイアスされ得る。
【００１６】
本特定の実施形態の他の側面によると、本方法はさらに、少なくとも１つのコンピュータプロセッサによって、第２のコンタクト−エージェントペアリング方略の少なくとも１つのパラメータを調節するステップを含み得る。
【００１７】
本特定の実施形態の他の側面によると、少なくとも１つのパラメータは、ハイブリッド挙動ペアリング方略に関するＫａｐｐａパラメータを含む。
【００１８】
本特定の実施形態の他の側面によると、第１のコンタクト−エージェントペアリング方略は、不均衡なエージェント利用を標的とし得、第２のコンタクト−エージェントペアリング方略は、均衡したエージェント利用を標的とし得る。
【００１９】
本特定の実施形態の他の側面によると、第２のコンタクト−エージェントペアリング方略の標的利用は、第１のコンタクト−エージェントペアリング方略から第２のコンタクト−エージェントペアリング方略への遷移と第２のコンタクト−エージェントペアリング方略から第１のコンタクト−エージェントペアリング方略への後続遷移との間の１つまたはそれを上回る時点において、少なくとも１回調節され得る。
【００２０】
別の特定の実施形態では、本技法は、少なくとも１つのプロセッサを備える、コンタクトセンターシステムにおける実績をベンチマーキングするためのシステムとして実現され得、少なくとも１つのプロセッサは、上記に説明される方法を実施するように構成される。
【００２１】
別の特定の実施形態では、本技法は、非一過性プロセッサ可読媒体と、媒体上に記憶される命令とを備える、コンタクトセンターシステムにおける実績をベンチマーキングするための製造品として実現され得、命令は、少なくとも１つのプロセッサによって媒体から可読であるように構成され、それによって、少なくとも１つのプロセッサを上記に説明される方法を実施するように動作させる。
本発明は、例えば、以下を提供する。
（項目１）
コンタクトセンターシステム実績をベンチマーキングするための方法であって、
コンタクトセンター動作を実施するように構成される少なくとも１つのコンピュータプロセッサによって、前記コンタクトセンターシステムにおいてコンタクトをエージェントとペアリングするために、第１のコンタクト−エージェントペアリング方略と第２のコンタクト−エージェントペアリング方略との間を繰り返すステップと、
前記少なくとも１つのコンピュータプロセッサによって、前記第１のコンタクト−エージェントペアリング方略の第１のエージェント利用と均衡したエージェント利用との間の差分を備える、前記第１のコンタクト−エージェントペアリング方略におけるエージェント利用バイアスを判定するステップと、
前記少なくとも１つのコンピュータプロセッサによって、前記第１のコンタクト−エージェントペアリング方略におけるエージェント利用バイアスに基づいて、前記第１のコンタクト−エージェントペアリング方略と比較した前記第２のコンタクト−エージェントペアリング方略の相対的実績を判定するステップと
を含む、方法。
（項目２）
前記少なくとも１つのコンピュータプロセッサによって、前記第１のコンタクト−エージェントペアリング方略におけるエージェント利用バイアスを低減させるために、前記第２のコンタクト−エージェントペアリング方略の標的エージェント利用を調節するステップをさらに含む、項目１に記載の方法。
（項目３）
前記第１のコンタクト−エージェントペアリング方略におけるエージェント利用バイアスを判定するステップはさらに、前記少なくとも１つのコンピュータプロセッサによって、前記第１のコンタクト−エージェントペアリング方略から前記第２のコンタクト−エージェントペアリング方略への少なくとも１回の遷移中、複数のエージェントの平均利用可能エージェント実績を判定するステップを含む、項目１に記載の方法。
（項目４）
前記第１のコンタクト−エージェントペアリング方略におけるエージェント利用バイアスを判定するステップはさらに、前記少なくとも１つのコンピュータプロセッサによって、前記第１のコンタクト−エージェントペアリング方略から前記第２のコンタクト−エージェントペアリング方略への少なくとも１回の遷移中、複数のエージェントのうちの少なくとも１人の平均可用性を判定するステップを含む、項目１に記載の方法。
（項目５）
前記少なくとも１つのコンピュータプロセッサによって、前記第１のコンタクト−エージェントペアリング方略のエージェント利用バイアスを備える遷移管理報告を出力するステップをさらに含む、項目１に記載の方法。
（項目６）
前記第１のコンタクト−エージェントペアリング方略は、実績ベースルーティング方略である、項目１に記載の方法。
（項目７）
前記第２のコンタクト−エージェントペアリング方略は、挙動ペアリング方略である、項目１に記載の方法。
（項目８）
前記第２のコンタクト−エージェントペアリング方略は、ハイブリッド挙動ペアリング方略であり、前記ハイブリッド挙動ペアリングは、実績ベースルーティング方略に向かってバイアスされる、項目２に記載の方法。
（項目９）
前記第２のコンタクト−エージェントペアリング方略の標的エージェント利用を調節するステップはさらに、前記少なくとも１つのコンピュータプロセッサによって、前記第２のコンタクト−エージェントペアリング方略の少なくとも１つのパラメータを調節するステップを含む、項目２に記載の方法。
（項目１０）
前記少なくとも１つのパラメータは、ハイブリッド挙動ペアリング方略に関するＫａｐｐａパラメータを含む、項目９に記載の方法。
（項目１１）
前記第１のコンタクト−エージェントペアリング方略は、不均衡なエージェント利用を標的とし、前記第２のコンタクト−エージェントペアリング方略は、前記均衡したエージェント利用を標的とする、項目１に記載の方法。
（項目１２）
前記第２のコンタクト−エージェントペアリング方略の標的利用は、前記第１のコンタクト−エージェントペアリング方略から前記第２のコンタクト−エージェントペアリング方略への遷移と前記第２のコンタクト−エージェントペアリング方略から前記第１のコンタクト−エージェントペアリング方略への後続遷移との間の１つまたはそれを上回る時点において、少なくとも１回調節される、項目２に記載の方法。
（項目１３）
コンタクトセンターシステムにおける実績をベンチマーキングするためのシステムであって、
少なくとも１つのプロセッサであって、前記少なくとも１つのプロセッサは、
前記コンタクトセンターシステムにおいてコンタクトをエージェントとペアリングするために、第１のコンタクト−エージェントペアリング方略と第２のコンタクト−エージェントペアリング方略との間を繰り返すことと、
前記第１のコンタクト−エージェントペアリング方略の第１のエージェント利用と均衡したエージェント利用との間の差分を備える、前記第１のコンタクト−エージェントペアリング方略におけるエージェント利用バイアスを判定することと、
前記第１のコンタクト−エージェントペアリング方略におけるエージェント利用バイアスに基づいて、前記第１のコンタクト−エージェントペアリング方略と比較した前記第２のコンタクト−エージェントペアリング方略の相対的実績を判定することと
を行うように構成される、少なくとも１つのプロセッサ
を備える、システム。
（項目１４）
前記少なくとも１つのプロセッサはさらに、前記第１のコンタクト−エージェントペアリング方略におけるエージェント利用バイアスを低減させるために、前記第２のコンタクト−エージェントペアリング方略の標的エージェント利用を調節するように構成される、項目１３に記載のシステム。
（項目１５）
前記第１のコンタクト−エージェントペアリング方略におけるエージェント利用バイアスを判定するように構成される、前記少なくとも１つのプロセッサはさらに、前記第１のコンタクト−エージェントペアリング方略から前記第２のコンタクト−エージェントペアリング方略への少なくとも１回の遷移中、複数のエージェントの平均利用可能エージェント実績を判定するように構成される、項目１３に記載のシステム。
（項目１６）
前記第１のコンタクト−エージェントペアリング方略におけるエージェント利用バイアスを判定するように構成される、前記少なくとも１つのプロセッサはさらに、前記第１のコンタクト−エージェントペアリング方略から前記第２のコンタクト−エージェントペアリング方略への少なくとも１回の遷移中、複数のエージェントのうちの少なくとも１人の平均可用性を判定するように構成される、項目１３に記載のシステム。
（項目１７）
コンタクトセンターシステムにおける実績をベンチマーキングするための製造品であって、
非一過性プロセッサ可読媒体と、
前記媒体上に記憶される命令と
を備え、
前記命令は、コンタクトセンター動作を実施するように構成される少なくとも１つのプロセッサによって前記媒体から可読であるように構成され、それによって、前記少なくとも１つのプロセッサに、
前記コンタクトセンターシステムにおいてコンタクトをエージェントとペアリングするために、第１のコンタクト−エージェントペアリング方略と第２のコンタクト−エージェントペアリング方略との間を繰り返すことと、
前記第１のコンタクト−エージェントペアリング方略の第１のエージェント利用と均衡したエージェント利用との間の差分を備える、前記第１のコンタクト−エージェントペアリング方略におけるエージェント利用バイアスを判定することと、
前記第１のコンタクト−エージェントペアリング方略におけるエージェント利用バイアスに基づいて、前記第１のコンタクト−エージェントペアリング方略と比較した前記第２のコンタクト−エージェントペアリング方略の相対的実績を判定することと
を行わせるように動作させる、製造品。
（項目１８）
前記少なくとも１つのプロセッサはさらに、前記第１のコンタクト−エージェントペアリング方略におけるエージェント利用バイアスを低減させるために、前記第２のコンタクト−エージェントペアリング方略の標的エージェント利用を調節するように動作させられる、項目１７に記載の製造品。
（項目１９）
前記第１のコンタクト−エージェントペアリング方略におけるエージェント利用バイアスを判定するように動作させられる、前記少なくとも１つのプロセッサはさらに、前記第１のコンタクト−エージェントペアリング方略から前記第２のコンタクト−エージェントペアリング方略への少なくとも１回の遷移中、複数のエージェントの平均利用可能エージェント実績を判定するように動作させられる、項目１７に記載の製造品。
（項目２０）
前記第１のコンタクト−エージェントペアリング方略におけるエージェント利用バイアスを判定するように動作させられる、前記少なくとも１つのプロセッサはさらに、前記第１のコンタクト−エージェントペアリング方略から前記第２のコンタクト−エージェントペアリング方略への少なくとも１回の遷移中、複数のエージェントのうちの少なくとも１人の平均可用性を判定するように動作させられる、項目１７に記載の製造品。
【００２２】
本開示は、ここで、付随の図面に示されるようなその特定の実施形態を参照してより詳細に説明されるであろう。本開示は、特定の実施形態を参照して以下に説明されるが、本開示は、それに限定されないことを理解されたい。本明細書の教示を利用できる当業者は、付加的実装、修正、および実施形態、ならびに他の使用分野を認識し、これらは、本明細書に説明されるように本開示の範囲内であり、それらに関して、本開示は、有意に有用であり得る。
【図面の簡単な説明】
【００２３】
本開示のより完全な理解を促進するために、ここで、同様の要素が同様の番号を用いて参照される、付随の図面を参照する。これらの図面は、本開示の限定として解釈されるべきではなく、例証にすぎないことが意図される。
【００２４】
【図１】図１は、本開示の実施形態による、コンタクトセンターシステムのブロック図を示す。
【図２】図２は、本開示の実施形態による、エージェント遷移表の概略表現を示す。
【図３】図３は、本開示の実施形態による、エージェント遷移表の概略表現を示す。
【図４】図４は、本開示の実施形態による、エージェント遷移チャートの概略表現を描写する。
【図５】図５は、本開示の実施形態による、エージェント遷移チャートの概略表現を描写する。
【図６】図６は、本開示の実施形態による、エージェント遷移チャートの概略表現を示す。
【図７】図７は、本開示の実施形態による、エージェント遷移チャートの概略表現を示す。
【図８】図８は、本開示の実施形態による、ベンチマーキング遷移管理方法のフロー図を示す。
【発明を実施するための形態】
【００２５】
典型的なコンタクトセンターは、コンタクトセンターに着信するコンタクトを、それらのコンタクトを処理するために利用可能なエージェントにアルゴリズム的に割り当てる。ある時は、コンタクトセンターは、利用可能であってインバウンドまたはアウトバウンドコンタクト（例えば、通話、インターネットチャットセッション、電子メール）への割当を待機するエージェントを有し得る。またある時は、コンタクトセンターは、エージェントが割当のために利用可能になるまで１つまたはそれを上回る待ち行列において待機するコンタクトを有し得る。
【００２６】
いくつかの典型的なコンタクトセンターでは、コンタクトは、それらのエージェントが利用可能になったときの時間に基づいて順序付けられたエージェントに割り当てられ、エージェントは、着信時間に基づいて順序付けられたコンタクトに割り当てられる。本方略は、「先入れ先出し」、「ＦＩＦＯ」、または「ラウンドロビン」方略と称され得る。例えば、最長利用可能エージェントペアリング方略は、好ましくは、最長時間にわたって利用可能である利用可能なエージェントを選択する。
【００２７】
いくつかのコンタクトセンターは、利用可能なエージェントまたは時としてコンタクトの待ち行列の順序付けに「実績ベースルーティング」または「ＰＢＲ」アプローチを使用し得る。ＰＲＢ順序付け方略は、各コンタクト−エージェント対話の予期される成果を最大限にすることを試みるが、典型的には、コンタクトセンターにおけるエージェントを均一に利用することを考慮せずに行われる。ＰＢＲのいくつかの変形例は、好ましくは、最高実績を伴う利用可能なエージェントを選択する、最高実績エージェントペアリング方略または、好ましくは、ペアリングされるコンタクトのタイプに対する最高実績を伴う利用可能なエージェントを選択する、コンタクトタイプに対する最高実績エージェントペアリング方略を含み得る。
【００２８】
また別の実施例に関して、いくつかのコンタクトセンターは、「挙動ペアリング」または「ＢＰ」方略を使用し得、その下で、コンタクトおよびエージェントは、後続コンタクト−エージェントペアの割当を可能にする方式で意図的に（優先的に）ペアリングされ得、したがって、ＢＰ方略下の全ての割当の利益が合計されると、それらは、ＦＩＦＯおよびＰＢＲ方略のものを超え得る。ＢＰは、スキル待ち行列内のエージェントの均衡した利用を促すように設計されるが、それにもかかわらず、同時に、ＦＩＦＯまたはＰＢＲ方法が可能にするであろうものを超えて全体的コンタクトセンター実績を向上させる。これは、ＢＰがＦＩＦＯまたはＰＢＲ方法と同一の呼出および同一のエージェントに作用し、ＦＩＦＯが提供するようにほぼ均一にエージェントを利用し、全体的コンタクトセンター実績をさらに向上させるため、優れた成果である。ＢＰは、例えば、米国特許第９，３００，８０２号（参照することによって本明細書に組み込まれる）に説明されている。ペアリングまたはマッチングモジュール（時として、「ＳＡＴＭＡＰ」、「ルーティングシステム」、「ルーティングエンジン」等とも称される）に関するこれらおよび他の特徴についての付加的情報が、例えば、米国特許第８，８７９，７１５号（参照することによって本明細書に組み込まれる）に説明されている。
【００２９】
いくつかの実施形態では、コンタクトセンターは、少なくとも２つの異なるペアリング方略間（例えば、ＦＩＦＯとＰＢＲとの間、ＰＢＲとＢＰとの間、ＦＩＦＯとＰＢＲとＢＰとの間）を周期的に切り替え得る（または「繰り返す」）。加えて、各コンタクト−エージェント対話の成果は、どのペアリング方略（例えば、ＦＩＦＯ、ＰＢＲ、またはＢＰ）がその特定のコンタクト−エージェントペアを割り当てるために使用されたかの識別とともに記録され得る。どの対話がどの結果を生産したかを追跡することによって、コンタクトセンターは、第１の方略（例えば、ＦＩＦＯ）に起因する実績および第２の方略（例えば、ＰＢＲ）に起因する実績を測定し得る。このように、１つの方略の相対的実績が、他のものに対してベンチマーキングされ得る。コンタクトセンターは、異なるペアリング方略間を切り替える多くの期間にわたって、実績利得が１つの方略または他のものにより確実に起因すると考え得る。ペアリング方略をベンチマーキングすることに関するこれらおよび他の特徴についての付加的情報が、例えば、２０１６年４月２０日に出願された、米国特許出願第１５／１３１，９１５号に説明されている。
【００３０】
コンタクトセンターが、１つのタイプのペアリング方略（例えば、ＰＢＲ）を使用することから別のタイプのペアリング方略（例えば、ＢＰ）に変更すると、いくつかのエージェントは、コンタクトを受信するために利用可能であり得る一方、他のエージェントは、コンタクトと対話し得る（例えば、呼出中である）。経時的な遷移における平均エージェント実績が不均衡である場合、１つのタイプのペアリング方略の全体的実績は、他のタイプのペアリング方略によって不公平に影響を受け得る。例えば、コンタクトセンターが、ＰＢＲを使用してコンタクトおよびエージェントをペアリングすると、高い実績のエージェントは、コンタクトとの対話でビジーである可能性がより高い一方、低い実績のエージェントは、アイドル状態である可能性がより高い。したがって、ＰＲＢからＢＰ等の別のペアリング方略への遷移において、経時的な遷移における利用可能なエージェントの平均実績は、利用可能なエージェントおよびビジーなエージェントの両方を含むエージェントの全ての平均実績を下回る可能性が高い。
【００３１】
図１は、本開示の実施形態による、コンタクトセンターシステムのブロック図を示す。図１に示されるように、コンタクトセンターシステム１００は、中央スイッチ１１０を含み得る。中央スイッチ１１０は、着信するコンタクト（例えば、発信者）を受信する、または遠隔通信ネットワーク（図示せず）を介してコンタクトへのアウトバウンド接続をサポートし得る。中央スイッチ１１０は、１つもしくはそれを上回るコンタクトセンター間で、またはコンタクトセンター内の１つもしくはそれを上回るＰＢＸ／ＡＣＤもしくは他の待ち行列もしくは切替コンポーネントにコンタクトをルーティングすることに役立てるためのコンタクトルーティングハードウェアおよびソフトウェアを含み得る。
【００３２】
コンタクトセンターが１つしか存在しない、またはＰＢＸ／ＡＣＤルーティングコンポーネントが１つしか存在しない場合、中央スイッチ１１０は、コンタクトセンターシステム１００において必要ではない場合がある。１つを上回るコンタクトセンターがコンタクトセンターシステム１００の一部である場合、各コンタクトセンターは、少なくとも１つのコンタクトセンタースイッチ（例えば、コンタクトセンタースイッチ１２０Ａおよび１２０Ｂ）を含み得る。コンタクトセンタースイッチ１２０Ａおよび１２０Ｂは、中央スイッチ１１０に通信可能に結合され得る。
【００３３】
コンタクトセンター毎の各コンタクトセンタースイッチは、複数のエージェント（またはその「集団」）に通信可能に結合され得る。各コンタクトセンタースイッチは、ある数のエージェント（または「座席」）が１度にログインするようにサポートし得る。任意の所与の時点で、ログインしたエージェントは、利用可能であり、コンタクトに接続されることを待機し得る、またはログインしたエージェントは、別のコンタクトに接続されている、呼出についてのロギング情報等のある呼出後機能を実施している、もしくは休憩している等のいくつかの理由のいずれかのために利用不可能であり得る。
【００３４】
図１の実施例では、中央スイッチ１１０は、それぞれ、コンタクトセンタースイッチ１２０Ａおよびコンタクトセンタースイッチ１２０Ｂを介して、２つのコンタクトセンターのうちの１つにコンタクトをルーティングする。コンタクトセンタースイッチ１２０Ａおよび１２０Ｂのそれぞれは、各２人のエージェントとともに示される。エージェント１３０Ａおよび１３０Ｂが、コンタクトセンタースイッチ１２０Ａにログインし得、エージェント１３０Ｃおよび１３０Ｄが、コンタクトセンタースイッチ１２０Ｂにログインし得る。
【００３５】
コンタクトセンターシステム１００はまた、例えば、サードパーティベンダからの統合サービスに通信可能に結合され得る。図１の実施例では、遷移管理モジュール１４０は、中央スイッチ１１０、コンタクトセンタースイッチ１２０Ａ、またはコンタクトセンタースイッチ１２０Ｂ等、コンタクトセンターシステム１００のスイッチシステムにおける１つまたはそれを上回るスイッチに通信可能に結合され得る。いくつかの実施形態では、コンタクトセンターシステム１００のスイッチは、複数のベンチマーキングモジュールに通信可能に結合され得る。いくつかの実施形態では、遷移管理モジュール１４０は、コンタクトセンターシステムのコンポーネント内に埋設され得る（例えば、スイッチ内に埋設される、または別様にそれと統合される）。遷移管理モジュール１４０は、スイッチにログインしたエージェント（例えば、エージェント１３０Ａおよび１３０Ｂ）について、および別のスイッチ（例えば、中央スイッチ１１０）を介して、またはいくつかの実施形態では、ネットワーク（例えば、インターネットまたは遠隔通信ネットワーク）（図示せず）から着信するコンタクトについての情報を、スイッチ（例えば、コンタクトセンタースイッチ１２０Ａ）から受信し得る。
【００３６】
コンタクトセンターは、複数のペアリングモジュール（例えば、ＢＰモジュールおよびＦＩＦＯモジュール）（図示せず）を含み得、１つまたはそれを上回るペアリングモジュールが、１つまたはそれを上回る異なるベンダによって提供され得る。いくつかの実施形態では、１つまたはそれを上回るペアリングモジュールは、遷移管理モジュール１４０または中央スイッチ１１０もしくはコンタクトセンタースイッチ１２０Ａおよび１２０Ｂ等の１つもしくはそれを上回るスイッチのコンポーネントであり得る。いくつかの実施形態では、遷移管理モジュール１４０は、どのペアリングモジュールが特定のコンタクトに対するペアリングを処理し得るかを判定し得る。例えば、遷移管理モジュール１４０は、ＢＰモジュールを介してペアリングをイネーブルにすることとＦＩＦＯモジュールを用いてペアリングをイネーブルにすることとの間を交互に行い得る。他の実施形態では、１つのペアリングモジュール（例えば、ＢＰモジュール）が、他のペアリング方略をエミュレートするように構成され得る。例えば、遷移管理モジュール１４０またはＢＰモジュール内のＢＰコンポーネントと統合された遷移管理コンポーネントが、ＢＰモジュールが特定のコンタクトに対してＢＰペアリングまたはエミュレートされたＦＩＦＯペアリングのいずれかを使用し得ることを判定し得る。本場合では、「ＢＰオン」は、ＢＰモジュールがＢＰペアリング方略を適用しているときの時間を指し得、「ＢＰオフ」は、ＢＰモジュールが異なるペアリング方略（例えば、ＦＩＦＯ）を適用しているときの他の時間を指し得る。
【００３７】
いくつかの実施形態では、ペアリング方略が別個のモジュールによって処理されるかどうかにかかわらず、またはいくつかのペアリング方略が単一のペアリングモジュール内でエミュレートされる場合、単一のペアリングモジュールは、任意のまたは全てのペアリング方略下で成されるペアリングについての情報を監視および記憶するように構成され得る。例えば、ＢＰモジュールは、ＦＩＦＯモジュールによって成されるＦＩＦＯペアリングについてのデータを観察および記録し得る、またはＢＰモジュールは、ＦＩＦＯエミュレーションモードにおいて動作するＢＰモジュールによって成されるエミュレートされたＦＩＦＯペアリングについてのデータを観察および記録し得る。
【００３８】
本開示の実施形態は、２つのみのペアリング方略のベンチマーキング遷移管理に限定されない。代わりに、ベンチマーキング遷移管理は、２つまたはそれを上回るペアリング方略に対して実施され得る（例えば、ＦＩＦＯ、ＰＢＲ、およびＢＰの遷移管理をベンチマーキングする）。
【００３９】
図２は、本開示の実施形態による、エージェント遷移表２００の概略表現を示す。図２の実施例では、「Ａｌｉｃｅ」、「Ｂｏｂ」、「Ｃｈａｒｌｉｅ」、および「Ｄｏｎｎａ」という名前の４人のエージェントが、コンタクトと対話するために特定の待ち行列に割り当てられ得る。これらのエージェント名は、例証のみを目的とし、いくつかの実施形態では、匿名化された識別番号または他の識別子が、コンタクトセンターにおけるエージェントを表すために使用され得る。加えて、この高度に簡略化された実施例は、４人のエージェントのみを示す。いくつかの実施形態では、数百のエージェント、数千のエージェント、またはそれを上回る人が、待ち行列に割り当てられ得、エージェント遷移表内に描写され得る。
【００４０】
エージェント遷移表２００は、「２０１」、「２０２」、「２０３」、「２０４」、および「２０５」と標識化された５回の遷移を示す。いくつかの実施形態では、各遷移は、コンタクトセンターが１つのペアリング方略（例えば、ＦＩＦＯ）から別のペアリング方略（例えば、ＢＰ）に切り替える時点を表し得る。遷移は、１時間あたり複数回（例えば、１０分毎、１５分毎、３０分毎）または１日、１週間、１ヶ月、１年等の全体を通してより多い、またはより少ない頻度で起こり得る。いくつかの実施形態では、遷移は、遷移が起こった日の時間によって識別され得る。例えば、遷移２０１は、午前９：１５に起こり、遷移２０２は、午前９：４５に起こる等であり得る。
【００４１】
遷移２０１において、エージェントＡｌｉｃｅおよびＢｏｂは、陰影セルによって示されるように、利用可能ではない。例えば、ＡｌｉｃｅおよびＢｏｂは、コンタクトと対話し得る、またはそれらは、売上を記録する、もしくはカスタマーサービス報告を提出する等の対話後タスクで別様に占有され得る。一方、エージェントＣｈａｒｌｉｅおよびＤｏｎｎａは、非陰影セルによって示されるように、アイドル状態である、または別様にコンタクトに接続されるために利用可能である。
【００４２】
同様に、遷移２０２において、エージェントＣｈａｒｌｉｅおよびＤｏｎｎａは、ビジーであり、エージェントＡｌｉｃｅおよびＢｏｂは、利用可能である。遷移２０３において、エージェントＡｌｉｃｅおよびＣｈａｒｌｉｅは、ビジーであり、エージェントＢｏｂおよびＤｏｎｎａは、利用可能である。遷移２０４において、エージェントＢｏｂおよびＤｏｎｎａは、ビジーであり、エージェントＡｌｉｃｅおよびＣｈａｒｌｉｅは、利用可能である。遷移２０５において、エージェントＢｏｂおよびＣｈａｒｌｉｅは、ビジーであり、エージェントＡｌｉｃｅおよびＤｏｎｎａは、利用可能である。
【００４３】
任意の単一の遷移において、均衡したエージェント利用を標的とするペアリング方略（例えば、ＦＩＦＯおよびＢＰであるが、ＰＢＲではない）でさえ、遷移において非対称利用を有すると考えられ得る。例えば、Ａｌｉｃｅが８０の正規化された実績評価、Ｂｏｂが６０の評価、Ｃｈａｒｌｉｅが４０の評価、Ｄｏｎｎａが２０の評価を有する場合、全てのエージェントの平均実績は、５０である。しかしながら、遷移２０１における利用可能なエージェント（すなわち、ＣｈａｒｌｉｅおよびＤｏｎｎａ）の平均実績は、３０で平均を下回る。遷移２０２における利用可能なエージェントの平均実績は、７０で平均を上回る。遷移２０３における利用可能なエージェントの平均実績は、４０で平均を下回る。遷移２０４における利用可能なエージェントの平均実績は、６０で平均を上回る。
【００４４】
いくつかの遷移において、不均衡なエージェント利用を標的とするペアリング方略（例えば、ＰＢＲ）でさえ、遷移において均衡した利用を有すると考えられ得る。例えば、遷移２０５において、利用可能なエージェント（すなわち、ＡｌｉｃｅおよびＤｏｎｎａ）の平均実績は、５０である。
【００４５】
任意の単一の遷移における利用可能なエージェントの平均実績における分散にもかかわらず、経時的な（例えば、１日にわたる）複数の遷移における利用可能なエージェントの平均実績は、所与のペアリング方略の統計的に予期される利用を反映し得る。エージェント遷移表２００は、５回の遷移２０１−２０５を示し、これは、いくつかの実施形態では、統計的に有意な数の遷移ではない場合がある。それにもかかわらず、例証を目的として、一連の５回の遷移２０１−２０５にわたる平均利用可能エージェント実績は、（３０＋７０＋４０＋６０＋５０）／５＝５０である。本実施例では、一連の５回の遷移２０１−２０５にわたる遷移における平均利用可能エージェント実績は、均衡した。
【００４６】
いくつかの実施形態では、１回またはそれを上回る遷移にわたって利用可能なエージェントの平均実績を判定することに加えて、またはその代わりに、個々のエージェントの平均可用性もまた、判定および出力され得る。例えば、エージェント遷移表２００では、各遷移２０１−２０５にわたる各エージェントの平均可用性は、Ａｌｉｃｅに関して６０％（３／５遷移）、Ｂｏｂに関して４０％（２／５遷移）、Ｃｈａｒｌｉｅに関して４０％（２／５遷移）、およびＤｏｎｎａに関して６０％（４／５遷移）である。均衡したエージェント利用を標的とするペアリング方略（例えば、ＦＩＦＯまたはＢＰ）に関して、各エージェントが、ほぼ同一の回数または同一の割合の遷移で利用可能である可能性が、統計的に高くあり得る。５回のみの遷移２０１−２０５を描写する本簡略化された実施例では、各エージェントの平均可用性は、４０％〜６０％で変動する。しかしながら、経時的に、各エージェントの平均可用性は、同一のパーセンテージに収束する可能性が統計的に高くあり得る。例えば、１００回の遷移後、全エージェントの平均可用性は、ほぼ同一、例えば、５０％、５５％、６０％等であり得る。
【００４７】
図３は、本開示の実施形態による、エージェント遷移表３００の概略表現を示す。エージェント遷移表２００（図２）の実施例と対照的に、エージェント遷移表３００は、典型的には、ＰＢＲ等の不均衡なペアリング方略を使用するコンタクトセンターにおいて予期されるであろう成果を示す。ＰＢＲのいくつかの実施形態では、最高実績のエージェント（すなわち、Ａｌｉｃｅ）が、好ましくは、コンタクトと対話するように選択され得る。その結果、Ａｌｉｃｅは、遷移３０１−３０５のいずれにおいても決して利用可能ではない。一方、最低実績のエージェント（すなわち、Ｄｏｎｎａ）は、常時、遷移３０１−３０５のそれぞれにおいて利用可能である。
【００４８】
利用可能なエージェントの平均実績は、遷移３０１において３０であり、遷移３０２において４０であり、遷移３０３において３０であり、遷移３０４において２０であり、遷移３０５において４０である。一連の５回の遷移３０１−３０５にわたる利用可能なエージェントの平均実績は、（３０＋４０＋３０＋２０＋４０）／５＝３２において不均衡である。経時的な利用可能なエージェントの平均実績が、エージェント利用における統計的に有意な量の非対称を示し得る程度によって、各遷移に続く代替ペアリング方略の有効性を「汚染する」、バイアスする、または別様にそれに影響を及ぼし、潜在的に不公平なベンチマーキング測定をもたらし得る。
【００４９】
いくつかの実施形態では、１回またはそれを上回る遷移にわたって利用可能なエージェントの平均実績を判定することに加えて、またはその代わりに、個々のエージェントの平均可用性もまた、判定および出力され得る。例えば、エージェント遷移表３００では、各遷移３０１−３０５にわたる各エージェントの平均可用性は、Ａｌｉｃｅに関して０％（０／５遷移）、Ｂｏｂに関して４０％（２／５遷移）、Ｃｈａｒｌｉｅに関して６０％（３／５遷移）、およびＤｏｎｎａに関して１００％（５／５遷移）である。不均衡なエージェント利用を標的とするペアリング方略（例えば、ＰＢＲ）に関して、いくつかのエージェント（例えば、より低い実績のエージェント）が、他のエージェント（例えば、より高い実績のエージェント）よりも有意に頻繁に利用可能である可能性が、統計的に高くあり得る。５回のみの遷移５０１−５０５を描写する本簡略化された実施例であっても、各エージェントの平均可用性は、０％〜１００％で有意に変動する。経時的に、各エージェントの可変平均可用性の統計的有意性は、さらに確認され得る。ここでは、ＰＢＲ等の不均衡なペアリング方略は、常時または殆ど常時、より低い実績のエージェントを次のペアリング方略（例えば、ＢＰまたはＦＩＦＯ）に引き渡す一方、より高い実績のエージェントは、決してまたは殆ど引き渡されない。１回またはそれを上回る遷移における平均エージェント品質を参照して上記に説明されるように、経時的なエージェントの平均可用性が、エージェント利用における統計的に有意な量の非対称を示し得る程度によって、各遷移に続く代替ペアリング方略の有効性を「汚染する」、バイアスする、または別様にそれに影響を及ぼし、潜在的に不公平なベンチマーキング測定をもたらし得る。
【００５０】
図４は、本開示の実施形態による、エージェント遷移チャート４００の概略表現を描写する。エージェント遷移チャート４００では、ｘ軸は、期間を示す。例えば、１週間にわたって、ｘ＝０は、１日目を表し、ｘ＝１は、２日目を表し、以下同様であり得る。ｙ軸は、所与の期間中の第１のペアリング方略から第２のペアリング方略への遷移の全てにわたる利用可能なエージェントの平均実績を示す。例えば、ｘ＝０（例えば、１日目）において、１日にわたる遷移における利用可能なエージェントの平均実績は、５０であった。ｘ＝１（例えば、２日目）において、平均実績は、平均をわずかに上回り、ｘ＝３（例えば、４日目）において、平均実績は、平均をわずかに下回った。それにもかかわらず、エージェント遷移チャート４００は、比較的に長い期間（例えば、１週間）にわたって比較的に定常の平均実績を示す。いくつかの実施形態では、日毎の少量の変動は、統計的に有意ではない場合があり、本第１のペアリング方略に関する全体的エージェント利用は、均衡する。
【００５１】
図５は、本開示の実施形態による、エージェント遷移チャート５００の概略表現を描写する。エージェント遷移チャート５００では、全体的エージェント利用は、日毎に約２５において定常のままであり、これは、平均を有意に下回る。したがって、本ペアリング方略（例えば、ＰＢＲ）に関する全体的エージェント利用は、不均衡である。
【００５２】
複数のペアリング方略間をベンチマーキングするとき、第１のペアリング方略（例えば、ＰＢＲ）が、第２のペアリング方略（例えば、ＦＩＦＯまたはＢＰ）の実績を「汚染」または別様にバイアスすることが、可能性として考えられる。ＰＢＲからＢＰへの各遷移において、利用可能なエージェントの平均実績は、待ち行列に割り当てられる全てのエージェントの全体的平均実績を有意に下回り得る（すなわち、不均衡である）。ＢＰまたはＦＩＦＯサイクルの開始時における本「抑制された」エージェント集団は、そのサイクルにわたってＢＰまたはＦＩＦＯの全体的実績を弱化させ得る。
【００５３】
逆に、ＢＰまたはＦＩＦＯからＰＢＲへの各遷移において、利用可能なエージェントの平均実績は、待ち行列に割り当てられる全てのエージェントの全体的平均実績と類似する、またはそれに等しくあり得る（すなわち、均衡する）。各ＰＢＲサイクルの開始時における本均衡したエージェント集団は、均衡したエージェント集団であってもＰＢＲが引き起こす典型的なエージェント集団よりも良好であり得るため、そのサイクルにわたってＰＢＲの全体的実績を強化し得る。
【００５４】
各ＰＢＲサイクルは、これがエージェント集団を受信したときよりもこれを「汚染された」（不均衡な）ままにし得、各ＢＰまたはＦＩＦＯサイクルは、これがエージェント集団を受信したときよりもこれを「より清浄な」（均衡した）ままにし得るため、ＢＰまたはＦＩＦＯに対してＰＢＲをベンチマーキングするためのいくつかの技法は、ＢＰまたはＦＩＦＯが、そうでなければそれらがＰＢＲサイクルが各サイクルの開始時にその利用可能なエージェント集団を汚染していなかった場合にあろうものよりも悪く機能しているように見え得る。したがって、サイクルの開始時（「前半」）における利用可能なエージェントの平均実績を、サイクルの終了時（「後半」）における利用可能なエージェントの平均実績と比較することが、有用であり得る。
【００５５】
図６は、本開示の実施形態による、エージェント遷移チャート６００の概略表現を示す。エージェント遷移チャート６００は、例示的前半／後半比較を示す。ｘ＝０（例えば、１日目）において、１日にわたる第１のペアリング方略に遷移する、および第１のペアリング方略から遷移する利用可能なエージェントの平均実績間の差分は、０であった。ｘ＝１において、差分は、０をわずかに上回り、ｘ＝３において、差分は、０をわずかに下回ったが、１週間にわたる全体的差分は、０に近接したままであった。概念的に、ペアリング方略は、各他のエージェント集団をほぼ同一の平均実績（例えば、品質）のままにしていた。
【００５６】
０の平均差分は、必ずしも、両方のペアリング方略が均衡すること（例えば、約５０の利用可能なエージェントの平均実績）を示唆するわけではない。例えば、第１のペアリング方略が、２５の平均利用可能エージェント実績を伴うＰＢＲ＿Ａであり、第２のペアリング方略が、２５の平均利用可能エージェント実績を伴うＰＢＲ＿Ｂである場合、差分は、依然として０であろう。ベンチマーキングの観点から、両方のペアリング方略が、それぞれが不均衡である程度がほぼ同一である場合、不均衡であることは、許容可能であり得る。このように、各ペアリング方略は、これがエージェント集団を見出した際とほぼ同程度にこれを悪いままにし、いずれのペアリング方略も、他方を汚染していない。
【００５７】
図７は、本開示の実施形態による、エージェント遷移チャート７００の概略表現を示す。エージェント遷移チャート７００は、前半／後半比較の別の実施例を示す。ｘ＝０（例えば、１日目）において、１日にわたる第１のペアリング方略に遷移する、および第１のペアリング方略から遷移する利用可能なエージェントの平均実績間の差分は、２５であった。ｘ＝１において、差分は、２５をわずかに上回り、ｘ＝３において、差分は、２５をわずかに下回ったが、１週間にわたる全体的差分は、２５に近接したままであった。概念的に、ペアリング方略のうちの１つは、遷移中に別のペアリング方略のエージェント集団を一貫して有意に汚染している。例えば、ＰＢＲ方略の前半が、５０の平均実績を伴うエージェント集団を一貫して受信し、ＰＢＲ方略の後半が、２５のみの平均実績を伴うエージェント集団を一貫して提供している場合、差分は、平均して２５である。
【００５８】
有意に２５を上回る平均差分は、必ずしも、ペアリング方略のいずれかが均衡すること（例えば、約５０の利用可能なエージェントの平均実績）を示唆するわけではない。例えば、第１のペアリング方略が、２５の平均利用可能エージェント実績を伴うＰＢＲ＿Ａであり、第２のペアリング方略が、０の平均利用可能エージェント実績を伴うＰＢＲ＿Ｂである場合、差分は、依然として２５であろう。ＰＢＲ＿Ｂペアリング方略は、依然としてベンチマークを汚染しており、ＰＢＲ＿Ａを、ＰＢＲ＿Ｂを伴う繰り返しの不在下であろうものよりも悪く機能させ、ＰＢＲ＿Ｂを、ＰＢＲ＿Ａを伴う繰り返しの不在下であろうものよりも良好に機能させる。
【００５９】
図８は、本開示の実施形態による、ベンチマーキング遷移管理方法８００のフロー図を示す。ブロック８１０において、ベンチマーキング遷移管理方法８００は、開始され得る。コンタクトセンターシステムが、少なくとも２つのペアリング方略間を繰り返し得る。例えば、コンタクトセンターシステムは、ＢＰおよびＰＢＲペアリング方略間を切り替え得る。ＢＰからＰＢＲへの各遷移において、および逆もまた同様に、各遷移において利用可能なエージェントが、判定され得る。
【００６０】
ブロック８１０において、経時的な第１のペアリング方略（例えば、ＢＰ）から第２のペアリング方略（例えば、ＰＢＲ）への遷移における利用可能なエージェントの第１の平均実績が、遷移毎の利用可能なエージェントおよびその相対的または別様に正規化された実績の判定に基づいて判定され得る。第１の平均実績はまた、その期間にわたる第２のペアリング方略の「前半」測定値と見なされ得る。
【００６１】
ブロック８２０において、いくつかの実施形態では、経時的な第２のペアリング方略（例えば、ＰＢＲ）から第１のペアリング方略（例えば、ＢＰ）への遷移における利用可能なエージェントの第２の平均実績が、遷移毎の利用可能なエージェントおよびその相対的または別様に正規化された実績の判定に基づいて判定され得る。第２の平均実績はまた、その期間にわたる第２のペアリング方略の「後半」測定値と見なされ得る。
【００６２】
ブロック８３０において、いくつかの実施形態では、第１および第２の平均実績間の平均実績差分が、判定され得る。差分がゼロに等しい、または近似する場合、測定される期間中、第１のペアリング方略から受信される、またはそれに提供される利用可能なエージェントの平均実績間にいかなる有意な差分も存在しないことが、判定され得る。差分がゼロを上回る場合、第１のペアリング方略（例えば、ＢＰ）によって提供される利用可能なエージェントの平均実績は、第２のペアリング方略（例えば、ＰＢＲ）によって提供される利用可能なエージェントの平均実績よりも高いことが、判定され、第２のペアリング方略が、利用可能なエージェント集団およびベンチマークを汚染し得ることを示し得る。
【００６３】
ブロック８４０において、いくつかの実施形態では、遷移管理報告が、生成され得る。いくつかの実施形態では、遷移管理報告は、ブロック８１０において判定される第１の平均実績差分、ブロック８２０において判定される第２の平均実績差分、ブロック８４０において判定される平均実績差分、またはそれらの任意の組み合わせを含み得る。データは、限定ではないが、エージェント遷移表（例えば、エージェント遷移表２００および３００（図２および３））またはエージェント遷移チャート（例えば、エージェント遷移チャート４００、５００、６００、および７００（図４−７））を含む、種々のフォーマットにおいて提示され得る。報告は、動的に生成され、連続的または周期的に更新され得る。報告は、表示する、ソートする、フィルタ処理する、または別様にどのデータを表示するかおよびこれを表示する方法を選択するためのユーザインターフェース要素を含み得る。報告は、完全に監査可能であり、閲覧者が要素毎にソースデータを検査することを可能にし得る。例えば、報告インターフェースは、所与の遷移において利用可能なエージェント識別子のリストおよびその対応する相対的または正規化された実績測度を示す、ユーザインターフェース要素を含み得る。
【００６４】
ブロック８５０において、いくつかの実施形態では、第１または第２のペアリング方略の少なくとも１つのパラメータが、例えば、ブロック８３０において判定される平均実績差分を低減させるために調節され得る。非ゼロ実績差分を低減または排除することは、１つのペアリング方略が第２のペアリング方略の実績を抑制する、またはそのベンチマークを汚染する程度を低減または排除し得る。
【００６５】
例えば、ＰＢＲとＢＰとの間を繰り返すコンタクトセンターシステムでは、ＰＢＲは、エージェントの均一な利用を標的とするＢＰの構成を抑制する可能性が高い。種々の技法が、ＢＰがエージェントの不均一な利用を標的とすることを可能にする。例えば、「Ｋａｐｐａ」パラメータを調節することは、エージェント利用に関してＢＰをＰＢＲに向かってバイアスし得る。Ｋａｐｐａは、例えば、米国特許出願第１４／９５６，０８６号（参照することによって本明細書に組み込まれる）に説明されている。
【００６６】
Ｋａｐｐａが十分に高い場合、ベンチマーク抑制または汚染（例えば、ゼロの平均実績差分）を排除することが、可能であり得る。しかしながら、いくつかの環境では、高Ｋａｐｐａ値は、全体的ＢＰ実績を低減させ得る。これらの状況では、ＰＢＲからＢＰへの遷移に続いて、高い初期Ｋａｐｐａ値を有するＰＢＲベンチマーク汚染を補償し、一連の最初の３分、１０分等にわたってＫａｐｐａ調節を低減または排除すること（例えば、１．５から１．０へのＫａｐｐａ低減）が、望ましくあり得る。そのような「Ｋａｐｐａフェード」の速度は、ＰＢＲからのベンチマーク抑制をＢＰサイクルの前半における全体的実績と均衡させるように調節され得る。
【００６７】
同様に、ＢＰからＰＢＲへの遷移に先立って、高Ｋａｐｐａ値を有し、一連の最後の３分、１０分等にわたってＫａｐｐａ調節を生産または増加させること（例えば、１．０から１．５へのＫａｐｐａ増加）が、望ましくあり得る。そのような「逆Ｋａｐｐａフェード」の速度は、ＰＢＲからのベンチマーク抑制をＢＰサイクルの後半における全体的実績と均衡させるように調節され得る。
【００６８】
ＦＩＦＯとＢＰとの間を繰り返すコンタクトセンターシステムでは、平均実績差分は、ＦＩＦＯおよびＢＰが両方とも均衡したエージェント利用を標的とするため、通常、ゼロであり得る。しかしながら、いくつかの環境では、ＢＰが、不均衡なエージェント利用（例えば、１．０を上回るＫａｐｐａ値）を標的とすることが、望ましい、または最適であり得る。ＢＰが不均衡なエージェント利用を標的とする場合、ＦＩＦＯと比較した平均実績差分は、非ゼロであり、抑制または汚染されたベンチマークを示し得る。これらの状況では、一連の最後の３分、１０分等にわたってＫａｐｐａ調節を低減または排除すること（例えば、１．５から１．０へのＫａｐｐａ減少）が、望ましくあり得る。そのような「Ｋａｐｐａフェード」の速度は、全体的ＢＰ実績の最適化を均衡させながら、ＢＰとＦＩＦＯとの間の平均実績差分をゼロに戻すように低減させるように調節され得る。
【００６９】
ブロック８５０に続いて、ベンチマーキング遷移管理方法８００は、終了し得る。いくつかの実施形態では、ベンチマーキング遷移管理方法８００は、ブロック８１０に戻り得る。いくつかの実施形態では、種々のステップは、随意である、異なる順序で実施される、または他のステップと並行して実施され得る。例えば、ブロック８５０における少なくとも１つのパラメータの調節は、随意であり得る、またはこれは、ブロック８４０における遷移管理報告の生成に先立って、もしくはそれと同時に実施され得る。
【００７０】
この時点で、上記に説明されるような本開示による、コンタクトセンターシステムにおける実績をベンチマーキングすることは、入力データの処理および出力データの生成をある程度伴い得ることに留意されたい。本入力データ処理および出力データ生成は、ハードウェアまたはソフトウェアにおいて実装され得る。例えば、具体的電子コンポーネントが、上記に説明されるような本開示による、コンタクトセンターシステムにおける実績をベンチマーキングすることと関連付けられる機能を実装するために、遷移管理モジュールまたは類似もしくは関連する回路において採用され得る。代替として、命令に従って動作する１つまたはそれを上回るプロセッサが、上記に説明されるような本開示による、コンタクトセンターシステムにおける実績をベンチマーキングすることと関連付けられる機能を実装し得る。そのような場合では、そのような命令は、１つもしくはそれを上回る非一過性プロセッサ可読記憶媒体（例えば、磁気ディスクまたは他の記憶媒体）上に記憶される、または１つもしくはそれを上回る搬送波において具現化される１つもしくはそれを上回る信号を介して１つもしくはそれを上回るプロセッサに伝送され得ることが、本開示の範囲内である。
【００７１】
本開示は、本明細書に説明される具体的実施形態によって範囲を限定されるべきではない。実際には、本明細書に説明されるものに加えて、本開示の他の種々の実施形態および修正が、前述の説明および付随の図面から当業者に明白となるであろう。したがって、そのよう他の実施形態および修正は、本開示の範囲内に該当することが意図される。さらに、本開示は、少なくとも１つの特定の目的のための少なくとも１つの特定の環境における少なくとも１つの特定の実装の文脈において本明細書に説明されたが、当業者は、その有用性が、それに限定されず、本開示が、有益なこととして、任意の数の目的のために任意の数の環境において実装され得ることを認識するであろう。故に、以下に記載される請求項は、本明細書に説明されるような本開示の完全な範囲および精神に照らして解釈されるべきである。
【図１】
2020025279.tif 000003
【図２】
2020025279.tif 000004
【図３】
2020025279.tif 000005
【図４】
2020025279.tif 000006
【図５】
2020025279.tif 000007
【図６】
2020025279.tif 000008
【図７】
2020025279.tif 000009
【図８】
2020025279.tif 000010